(57)【特許請求の範囲】
【請求項１】
透液性表面シートと不透液性裏面シートとの間に吸液性コアが介在し、前後側胴回域の両側それぞれから外側へ延在する前後翼部の一方に有鉤係止部材が、かつ、その他方に前記有鉤係止部材に対して係脱可能な被係止部材が設けられている使い捨ておむつであって、
前記前後翼部の前記一方の内面に前記有鉤係止部材が接合され、かつ、該有鉤係止部材が接合される前記一方の翼部の外面は、前記有鉤係止部材が係合可能な不織布で構成され、前記有鉤係止部材は、前記一方の翼部の外側縁部寄りの鉤が被覆シートで覆われていることを特徴とする前記おむつ。
【発明の詳細な説明】
【０００１】
【産業上の利用分野】
この発明は、前後側胴回域を着脱可能に連結して着用する使い捨ておむつに関する。
【０００２】
【従来の技術】
実開平６−６１２２７号公報には、一対の有鉤係止部材とそれに対する被係止部材とからなる面ファスナを介して使い捨ておむつの前側胴回域と後側胴回域とを着脱可能に連結する考案が開示されている。このおむつは、その後側胴回域の左右両側縁から側方へ延出するテープ基材を有し、該基材の内面にはその長手方向に内側から順に有鉤係止部材、粘着域、及び該粘着域に対する被覆域が並んでいる。使用済みのおむつを廃棄するときには、おむつを丸めた後にテープ基材の粘着域をおむつの適宜の部位に止着して、その丸めた状態を保つ。
【０００３】
【発明が解決しようとする課題】
着用状態の前記公知のおむつでは、テープ基材のうちの有鉤係止部材が相手方の被係止部材に固定され、テープ基材の粘着域は折り返された被覆域で覆われて摘持部を形成している。この粘着域は、汚れたおむつを確実に丸めておくことができるようにその長さを比較的長くしなければならないから、前記摘持部もそれだけ長くなる。その結果おむつを着用している乳幼児にもそれを摘持することが容易になって、乳幼児が勝手におむつを脱いでしまうという事態を生じかねない。
【０００４】
そこでこの発明は、丸めて廃棄することができるおむつにおいて、そのような事態を招く恐れがないようにすることを課題にしている。
【０００５】
【課題を解決するための手段】
前記課題を解決するためにこの発明が前提とするのは、透液性表面シートと不透液性裏面シートとの間に吸液性コアが介在し、前後側胴回域の両側それぞれから外側へ延在する前後翼部の一方に有鉤係止部材が、かつ、その他方に前記有鉤係止部材に対して係脱可能な被係止部材が設けられている使い捨ておむつである。
【０００６】
かかる前提において、前記前後翼部の前記一方の内面に前記有鉤係止部材が接合され、かつ、該有鉤係止部材が接合される前記一方の翼部の外面は、前記有鉤係止部材が係合可能な不織布で構成され、前記有鉤係止部材は、前記一方の翼部の外側縁部寄りの鉤が被覆シートで覆われていること、がこの発明の特徴である。
【０００７】
【実施例】
添付の図面を参照して、この発明に係る使い捨ておむつの詳細を説明すると、以下のとおりである。
【０００８】
図１において部分破断平面図で示すおむつ１は、透液性表面シート２と不透液性裏面シート３と、それら両シート２，３の間に介在する吸液性コア４とで構成され、前側胴回域６と、後側胴回域７と、それら両域６，７間に位置する股下域８とを有する。前後側胴回域６，７それぞれの左右両側には，前翼部１１と後翼部１２とがある。表裏面シート２，３は、コア４の周縁から延出する部分で互いに重なり合い、その部分の内面どうしが水密に接合している。股下域８の左右両側縁部と後側胴回域７の端縁部とには、脚周り弾性部材１３と胴周り弾性部材１４とがあり、それら部材１３，１４が表裏面シート２，３間においてそれらシートの少なくとも一方の内面に伸長状態で接合している。
【０００９】
後翼部１２の内面には、商品名マジックテープやベルクロで知られる面ファスナのうちの有鉤係止部材１５が一体的に接合し、部材１５の鉤を有する内面は翼部１２の外側縁部１２Ａ寄りが被覆シート１８で覆われている。前翼部１１の外面には、面ファスナの被係止部材１６が横に長く一体的に接合している。
【００１０】
図２は、図１のＩＩ−ＩＩ線端面図である。図において後翼部１２の内側縁部１２Ｂが裏面シート３の外面に接合している。係止部材１５は露出した幅Ａの部分が前側胴回域６の被係止部材１６に係脱可能であり、シート１８で被覆されている幅Ｂの部分は係合することがない。係合した部材１５は、後翼部１２の外側縁部１２Ａを摘持して矢印Ｐ方向に引っ張ると、仮想線で示すように幅Ａの部分の右側から剥離し始める。このような状態では、後翼部１２と部材１５の外側縁部２０との間にいわゆる剥離力が殆ど作用しないから、その縁部２０は後翼部１２から剥離することがない。
【００１１】
図３は、廃棄するために丸めたおむつ１の斜視図である。おむつ１は前側胴回域６から後側胴回域７方向へ、表面シート２を内側にして丸め、最後に後翼部１２を内方へ折曲し、一方の後翼部１２の係止部材１５がそれとは反対側の後翼部１２の外面に係合している。このおむつ１では、部材１５のこのような係合を可能にするために、前記翼部１１，１２のうちの少なくとも後翼部１２またはその外面が嵩高で毛羽立ち易いスパンレース不織布やスパンボンド不織布、捲縮した繊維が互いに絡み合って多数の微細なループを形成している複合繊維製不織布等の不織布で構成されている。表面シート２および／または裏面シート３がその種不織布である場合には、それらシート２および／または３の後側胴回域７を側方へ延ばすことにより後翼部１２を形成してもよい。また、後翼部１２が、図示例の係止部材１５ではなくて、テープ基材の内面に係止部材１５が接合したいわゆるテープファスナを有する場合には、その基材の外面を前記不織布で構成し、その不織布に部材１５を係合できるようにしてもよい。
【００１２】
この発明において、表面シート２や裏面シート３には当該技術分野における慣用の素材を使うことができる。図示例の被覆シート１８には係止部材１５よりも剛性が低く肌触りのよい不織布やプラスチックフィルムを使用する。おむつ１の各種構成素材を接合するには、ホットメルト型接着剤等の接着剤を使用する他に、熱溶融性素材に対しては溶着技術を利用することができる。ただし、添付の図面では、それら接合の図示が省略してある。
【００１３】
【発明の効果】
この発明に係るおむつでは、有鉤係止部材とそれに対する被係止部材とからなる面ファスナを介して前後側胴回域を係脱可能に連結し、おむつの翼部には、有鉤係止部材を係合可能な不織布が使用してあるから、使用済みのおむつを丸めたときに有鉤係止部材をその不織布に対して係合することができる。かかるおむつでは、おむつを丸めておくための粘着性の止着手段が不要となり、有鉤係止部材を剥離するための摘持部は乳幼児が摘持し難いように比較的小さくすることができる。
【図面の簡単な説明】
【図１】おむつの部分破断平面図。
【図２】図１のＩＩ−ＩＩ線端面図。
【図３】丸めたおむつの斜視図。
【符号の説明】
１    おむつ
２    表面シート
３    裏面シート
４    コア
６    前側胴回域
７    後側胴回域
１１    前翼部
１２    後翼部
１５    係止部材
１６    被係止部材
１８    被覆シート
【図１】
0003623288.tif 000002
【図２】
0003623288.tif 000003
【図３】
0003623288.tif 000004